(57)【特許請求の範囲】
【請求項１】
眼鏡の玉型形状データ及び玉型形状に対する光学中心のレイアウトデータを入力するデータ入力手段を有し、該入力されたデータに基づいて眼鏡レンズの周縁を研削加工するレンズ研削加工装置において、前記データ入力手段により入力されたデータに基づき仕上げ加工後のレンズのコバ角部の位置を検知する検知手段と、仕上げ加工されたレンズの角部をファセット加工する切削具を持ち、該切削具をレンズの保持軸に対して相対的に移動するコバ角部加工手段と、前記データ入力手段により入力されたデータに基づきファセット加工前のレンズ外観の形状をディスプレイに表示し、表示されたレンズ外観を利用してファセット加工する領域を複数個指定しうる領域指定手段を持つとともに、ファセット加工領域の始点から終点までを予め定められた演算方法によりファセット加工するためのファセットスタイルを複数種類記憶し、前記指定された領域ごとにそれぞれファセット加工のスタイルを選択するファセットスタイル選択手段を含む、ファセット加工の設定データを入力するファセットデータ入力・表示部と、ファセットデータ入力部に入力されたファセット加工の設定データに基づいてファセット加工の加工データを演算する演算手段と、を備えることを特徴とするレンズ研削加工装置。
【請求項２】
眼鏡の玉型形状データ及び玉型形状に対する光学中心のレイアウトデータを入力するデータ入力手段を有し、該入力されたデータに基づいて眼鏡レンズの周縁を研削加工するレンズ研削加工装置において、前記データ入力手段により入力されたデータに基づき仕上げ加工後のレンズのコバ角部の位置を検知する検知手段と、仕上げ加工されたレンズの角部をファセット加工する切削具を持ち，該切削具をレンズの保持軸に対して相対的に移動するコバ角部加工手段と、前記データ入力手段により入力されたデータに基づきファセット加工前のレンズ外観の形状を表示し，表示されたレンズ外観を利用してファセット加工する領域を指定する領域指定手段と、指定されたファセット加工の領域に対して施すファセットスタイルを複数のファセットスタイルから選択する選択手段と、該選択手段で選択されたファセットスタイル及び前記領域指定手段により指定された領域のコバ角部の位置に基づいてファセット加工の加工データを演算する演算手段と、前記検知手段により検知されるレンズ前面及び後面のコバ角部の位置に基づきファセット加工後のコバ厚が所定の幅を下回らないように前記加工データを補正する補正手段と、を備えることを特徴とするレンズ研削加工装置。
【請求項３】
眼鏡の玉型形状データ及び玉型形状に対する光学中心のレイアウトデータを入力するデータ入力手段を有し、該入力されたデータに基づいて眼鏡レンズの周縁を研削加工するレンズ研削加工装置において、前記データ入力手段により入力されたデータに基づき仕上げ加工後のレンズのコバ角部の位置を検知する検知手段と、仕上げ加工されたレンズの角部を加工する切削具を持ち，該切削具をレンズの保持軸に対して相対的に移動するコバ角部加工手段と、コバ角部の加工量を設定し該設定された加工量に基づいて仕上げ加工後のコバ角部加工データを求める演算手段と、前記検知手段により検知されるレンズ前面及び後面のコバ角部の位置に基づきコバ角部加工後のコバ厚が所定の幅を下回らないように前記加工データを補正する補正手段を備えることを特徴とするレンズ研削加工装置。
【発明の詳細な説明】
【０００１】
【発明の属する技術分野】
本発明は、眼鏡レンズの周縁を研削加工するレンズ研削加工装置に関する。
【０００２】
【従来技術】
眼鏡フレームのデザインは多様化してきており、いわゆるツーポイントと呼ばれる縁無し眼鏡も多くなっている。さらに、この縁無し眼鏡ではレンズ前面及び後面の外周角部の一部を平面状にカットし、宝石のように多角面を形成する加工（以下、ファセット加工という）を施すことにより、ファッショ的なデザインを持たせるよにしたもの現われてきている。従来、このファセット加工は円錐砥石を持ついわゆる手摺り機により、作業者が手作業で行っていた。
【０００３】
【発明が解決しようとする課題】
しかし、手摺り機により所望する形状のファセット加工を行うには手間と熟練を要し、容易ではなかった。また、手作業となるため、レンズ左右の加工形状を同じようにすることも難しかった。
【０００４】
本発明は、上記従来技術に鑑み、所望する形状のファセット加工を容易に行えるレンズ研削加工装置を提供することを技術課題とする。
【０００５】
【課題を解決するための手段】
上記課題を解決するために、本発明は以下のような構成を備えることを特徴とする。
【０００６】
（１）  眼鏡の玉型形状データ及び玉型形状に対する光学中心のレイアウトデータを入力するデータ入力手段を有し、該入力されたデータに基づいて眼鏡レンズの周縁を研削加工するレンズ研削加工装置において、前記データ入力手段により入力されたデータに基づき仕上げ加工後のレンズのコバ角部の位置を検知する検知手段と、仕上げ加工されたレンズの角部をファセット加工する切削具を持ち、該切削具をレンズの保持軸に対して相対的に移動するコバ角部加工手段と、前記データ入力手段により入力されたデータに基づきファセット加工前のレンズ外観の形状をディスプレイに表示し、表示されたレンズ外観を利用してファセット加工する領域を複数個指定しうる領域指定手段を持つとともに、ファセット加工領域の始点から終点までを予め定められた演算方法によりファセット加工するためのファセットスタイルを複数種類記憶し、前記指定された領域ごとにそれぞれファセット加工のスタイルを選択するファセットスタイル選択手段を含む、ファセット加工の設定データを入力するファセットデータ入力・表示部と、ファセットデータ入力部に入力されたファセット加工の設定データに基づいてファセット加工の加工データを演算する演算手段と、を備えることを特徴とする。
（２）  眼鏡の玉型形状データ及び玉型形状に対する光学中心のレイアウトデータを入力するデータ入力手段を有し、該入力されたデータに基づいて眼鏡レンズの周縁を研削加工するレンズ研削加工装置において、前記データ入力手段により入力されたデータに基づき仕上げ加工後のレンズのコバ角部の位置を検知する検知手段と、仕上げ加工されたレンズの角部をファセット加工する切削具を持ち，該切削具をレンズの保持軸に対して相対的に移動するコバ角部加工手段と、前記データ入力手段により入力されたデータに基づきファセット加工前のレンズ外観の形状を表示し，表示されたレンズ外観を利用してファセット加工する領域を指定する領域指定手段と、指定されたファセット加工の領域に対して施すファセットスタイルを複数のファセットスタイルから選択する選択手段と、該選択手段で選択されたファセットスタイル及び前記領域指定手段により指定された領域のコバ角部の位置に基づいてファセット加工の加工データを演算する演算手段と、前記検知手段により検知されるレンズ前面及び後面のコバ角部の位置に基づきファセット加工後のコバ厚が所定の幅を下回らないように前記加工データを補正する補正手段と、を備えることを特徴とする。
（３）  眼鏡の玉型形状データ及び玉型形状に対する光学中心のレイアウトデータを入力するデータ入力手段を有し、該入力されたデータに基づいて眼鏡レンズの周縁を研削加工するレンズ研削加工装置において、前記データ入力手段により入力されたデータに基づき仕上げ加工後のレンズのコバ角部の位置を検知する検知手段と、仕上げ加工されたレンズの角部を加工する切削具を持ち，該切削具をレンズの保持軸に対して相対的に移動するコバ角部加工手段と、コバ角部の加工量を設定し該設定された加工量に基づいて仕上げ加工後のコバ角部加工データを求める演算手段と、前記検知手段により検知されるレンズ前面及び後面のコバ角部の位置に基づきコバ角部加工後のコバ厚が所定の幅を下回らないように前記加工データを補正する補正手段を備えることを特徴とする。
【０００９】
【発明の実施の形態】
以下、本発明の実施形態を図面に基づいて説明する。図１は眼鏡レンズ加工装置の加工部を示す図である。
【００１０】
メインベース１上にはレンズチャック上部１００、レンズ研削部３００Ｒ、３００Ｌを備えるサブベース２が固定されている。また、サブベース２中央の奥側にはレンズ形状測定部４００が収納されている。
【００１１】
サブベース２の中央にはレンズチャック上部１００を構成する固定ブロック１０１が固定されており、その上部にはチャック軸ホルダ１２０を上下動するＤＣモータ１０３が取付けられている。ＤＣモータ１０３は上下に延びる送りネジを回転させ、この回転により固定ブロック１０１との間に設けられたガイドレールにガイドされてチャック軸ホルダ１２０が上下動する。チャック軸ホルダ１２０の上部にはチャック軸１２１を回転するパルスモータ１３０が固定されている。チャック軸１２１の下端には、レンズ押え１２４が取付けられている（図２参照）。
【００１２】
レンズチャック下部１５０を構成するチャック軸１５２は、メインベース１に固定されたホルダ１５１に回転可能に保持され、パルスモータ１５６により回転が伝達される。チャック軸１５２の上端には、被加工レンズに固定されたカップを装着するためのカップ受け１５９が取り付けられている（図２参照）。
【００１３】
レンズ研削部３００Ｒ、３００Ｌは左右対称であり、各シャフト支基３０１の前部には、図２に示すような砥石３０〜３６の砥石群が備えられた回転軸を内部で回転可能に保持するハウジング３０５が取り付けられている。左右の砥石群は、各シャフト支基３０１に固定されたサーボモータ３１０Ｒ、３１０Ｌにより回転される。
【００１４】
レンズ研削部３００Ｌの回転軸３０４Ｌには、図２に示すように、粗砥石３０、ヤゲン溝を持つ仕上砥石３１が取り付けられており、さらに仕上砥石３１の上端面には円錐面を持つレンズ前面加工用の面取砥石（角部加工砥石）３２が、粗砥石３０の下端面にはレンズ後面加工用の面取砥石３３が同軸に取り付けられている。レンズ研削部３００Ｒの回転軸４０４Ｒには、粗砥石３０、ヤゲン溝を持つ鏡面仕上砥石３４、円錐面を持つレンズ前面鏡面加工用の面取砥石３５及びレンズ後面鏡面加工用の面取砥石３６が同軸に取り付けられている。これらの砥石群は、その直径が６０ｍｍ程の比較的小さなものを使用し、加工精度を向上するとともに砥石の耐久性も確保するようにしている。なお、本形態では各面取砥石３２，３３，３５，３６の面取面の高さは５ｍｍであり、水平平面に対する傾斜角度を３５度に設定している。
【００１５】
レンズ研削部３００Ｒ、３００Ｌはそれぞれサブベース２に対して上下方向及び左右方向に移動可能であり、その移動機構は次のようになっている。レンズ研削部３００Ｒは左右スライドベース２１０に固定されており、左右スライドベース２１０は上下スライドベース２０１に固着された２つのガイドレール２１１に沿って左右に移動可能にである。一方、上下スライドベース２０１はサブベース２の前面に固着された２つのガイドレール２０２に沿って上下に移動可能である。上下スライドベース２０１にはナットブロック２０６が固定されており、パルスモータ２０４Ｒの回転軸にカップリングされたボールネジ２０５が回転することにより、ナットブロック２０６とともに上下スライドベース２０１が上下動する。左右スライドベース２１０の左右移動機構は上下移動機構と同様で、パルスモータ２１４Ｒの回転により行われる。
【００１６】
レンズ研削部３００Ｌの移動機構はレンズ研削部３００Ｒ側のものと左右対象であり、パルスモ−タ２０４Ｌにより上下に移動され、パルスモータ２１４Ｌ（図１では図示されていない）により左右に移動される。
【００１７】
なお、以上の詳細な構成は、本出願人による特開平９−２５４０００号公報を参照されたい。
【００１８】
図３はレンズ形状測定部４００を説明する概略構成図である。レンズ形状測定部４００は、２つのフィーラ５２３、５２４を持つ測定アーム５２７、測定アーム５２７を回転するＤＣモ−タ（図示せず）等の回転機構、測定アーム５２７の回転を検出してＤＣモータの回転を制御するセンサー板５１０とホトスイッチ５０４，５０５、測定アーム５２７の回転量を検出してレンズ前面及び後面の形状を得るためのポテンショメータ５０６等からなる検出機構等から構成される。このレンズ測定部４００の構成は本願発明と同一出願人による特開平３−２０６０３号等と基本的に同様であるので、詳細はこれを参照されたい。なお、図３に示したレンズ測定部４００は、特開平３−２０６０３号と異なり、前後移動手段６３０により装置に対して前後方向（矢印方向）に移動され、その移動量は動径データに基づいて制御される。また、測定アーム５２７は下方の初期位置から回転上昇し、レンズ前面屈折面及びレンズ後面屈折面それぞれに対してフィーラ５２３、５２４を当接してレンズコバ位置を測定するので、測定アーム５２７の下方への荷重をキャンセルするコイルバネ等をその回転軸に取り付けることが好ましい。
【００１９】
レンズ形状（レンズコバ位置）の測定は、前後移動手段６３０によりレンズ形状測定部４００を前後させ、測定アーム５２７を回転上昇させてフィーラ５２３をレンズ前面屈折面に当接させながらレンズを回転させることにより、レンズ前面屈折面の形状を得た後、次にフィーラ５２４をレンズ後面屈折面に当接させてその形状を得る。なお、レンズ形状の測定はレンズ前面及び後面でそれぞれ動径に対する異なる位置で２回測定される。第１測定は玉型形状の動径位置であり、第２測定は動径位置より所定距離分だけ外側の位置である。これにより、レンズ前面及び後面の傾斜角が求められる。
【００２０】
図４は装置の制御系を示す概略ブロック図である。６００は装置全体の制御及び加工の演算を行う制御部であり、カラーの液晶ディスプレイからなる表示部１０、各種の操作スイッチを持つ入力部１１、レンズ形状測定部４００、前後移動手段６３０、レンズ研削部３００Ｒ、３００Ｌの初期位置等を検知する各種フォトセンサが接続されている。また、ドライバ６２０〜６２８を介して移動用、回転用の各モータが接続されている。６０１はデータの送受信に使用されるインターフェイス回路であり、レンズ枠形状測定装置６５０（この装置の構成及び測定動作の詳細は、特開平４−９３１６４号等参照）やレンズ加工情報を管理するコンピュータ６５１が接続される。６０２は装置を動作するためのプログラム等が記憶された主プログラムメモリ、６０３は入力されるデータやレンズ測定データ等を記憶するデータメモリである。
【００２１】
次に、面取加工（角部加工）軌跡の算出方法について説明する。
【００２２】
面取加工軌跡の算出は、仕上げ加工後のコバ位置軌跡を求め、このコバ位置軌跡に基づいて求める。ここでは平仕上げ加工後のレンズ前面側を例にとって説明する。
【００２３】
図５は面取砥石とレンズとの関係を説明する図であり、コバ端面の加工点ａを加工するときの、レンズ回転中心と砥石回転中心を結ぶ線を軸線Ｌ１、加工点ａと砥石回転中心とを結ぶ線を法線Ｌ２、加工点ａとレンズ回転中心を結ぶ線を基準線Ｌ３とし、
θ＝法線Ｌ２と基準線Ｌ３の間の角度
τ＝法線Ｌ２と軸線Ｌ１の成す角度
とする。
【００２４】
面取り加工は、図６に示すように、基準線Ｌ３方向の断面形状を考える。レンズ前面側のコバ位置軌跡は玉型形状の軌跡をそのまま使用できる。図６において、Ｐ１はレンズコバ位置測定の第１測定で得られるコバ位置であり、Ｐ２は第２測定で得られるコバ位置（第１測定位置より所定距離δだけ外側の位置）である。ｈは光軸方向（レンズ回転軸方向）の第１測定位置と第２測定位置の距離であり、レンズ表面の傾斜を近似的に直線として考えると、その傾斜はδとｈとから求められる。
【００２５】
ここで、面取り砥石による角部の加工に際しては、まず、レンズ表面がフラットで、レンズ端面もフラットである場合を考える。ｉはコバ位置Ｐ１から基準線Ｌ３の方向に指定されるファセット加工の距離成分、ｇはコバ位置Ｐ１から光軸方向のオフセット成分、ｆは面取砥石の傾き角Ｆ（既知の値であり、実施例では９０°−３５°＝５５°である）の基準線Ｌ３方向の補正角、σは仕上げ砥石が持つ傾斜角ρ（この値は既知であり、主プログラムメモリに記憶されている）に対するレンズ端面傾斜の補正角、ｅはレンズ後面がフラットの場合の面取加工幅である。ファセット加工の距離成分通り（面取幅の指定通り）にする方法として、レンズ前面及びレンズ端面が共にフラットの場合と等しい面取加工幅ｅとなるように、加工面を平行移動してオフセット補正量ｋを求める。
【００２６】
このために、まず、レンズ端面傾斜の補正角σを求める。仕上げ砥石の加工面の傾斜角ρでレンズを加工する場合、法線Ｌ２方向の傾斜角はそのまま傾斜角ρとなるが、基準線Ｌ３方向の断面形状を考えると、その補正角σは、図７から、
σ＝arctan（tan ρ／cos θ）
として得られる。これを動径角に対応してそれぞれの場所で求める。
【００２７】
また、面取砥石の傾き角Ｆに対する補正角ｆは、同様に、
ｆ＝arctan（tan Ｆ／cos θ）
となる。
そして、図６より、オフセット補正量ｋは、
【数１】
0003990104.tif 000002
として求められる。
なお、補正角σが十分に小さい場合には、
【数２】
0003990104.tif 000003
としても差支えない（とくに、レンズ前面側の補正においての影響は軽微である）。
【００２８】
以上のことから、レンズ前面側のコバ位置Ｐ１を基準にした面取加工点Ｑ１の光軸方向の位置は、ｇ−ｋで求められる。また、コバ位置Ｐ１を基準にした面取加工点Ｑ１のレンズ径方向の位置は、その補正量をｍとすると、
ｍ＝（ｇ−ｋ）・tan σ
で求められる。これを動径角に対応してそれぞれの場所で求めることにより、角部の加工軌跡が得られる。
【００２９】
レンズ後面側の角部の加工軌跡も同様な方法により求めることができる。なお、レンズ後面側のコバ位置はレンズ端面傾斜の補正角σにより変化するので、図８のように、基準線Ｌ３方向の断面形状を考え、そのコバ位置Ｐ３は次のようにして求められる。図８において、Ｐ１´はレンズ後面側のコバ位置測定の第１測定で得られるコバ位置であり、Ｐ２´は同じくレンズ後面側の第２測定で得られるコバ位置である。ここで、図８のｈ´はレンズコバ位置測定の測定結果から得られ、εはレンズ前面側と後面側の第１測定の結果から得られるので、後面カーブを近似的に直線として考えると、
コバ位置Ｐ３のレンズ光軸方向の補正量μ、及びレンズの径方向の補正量ζは、
【００３０】
【数３】
0003990104.tif 000004
となる。これを動径角に対応してそれぞれの場所で求めることにより、仕上げ加工後の後面側のコバ軌跡情報が得られ、レンズ後面側の角部の加工軌跡の算出においても使用できる。
【００３１】
次に、装置の動作を説明する。ファセット加工を行うレンズの玉型形状（眼鏡枠形状）をレンズ枠形状測定装置６５０で測定して装置に入力する。縁無し眼鏡の場合、眼鏡に取り付けられているダミーレンズの縁をトレースして玉型形状を得る。また、玉型形状がコンピュータ６５１に記憶されている場合には、コンピュータ６５１から入力する。
【００３２】
玉型形状を入力すると、表示部１０には加工条件及び玉型形状に対する光心位置を入力するレアウト画面が表示される（図示せず）。入力部１１のスイッチによりレンズ材質、加工モード、面取加工の種類等の加工条件を入力する。ここでは、平加工モードを設定し、面取はファセット加工を選択する。また、レイアウト画面に表示される入力項目に従って、ＦＰＤ（フレーム中心間距離）、装用者のＰＤ（瞳孔間距離）、玉型中心に対する光学中心高さ位置、等のレイアウトデータをスイッチ操作により入力する。
【００３３】
データの入力後は、被加工レンズをチャック軸１５２側に装着し、スタートスイッチ１１ｉを押して装置を動作させると、チャック軸１２１が下降してレンズがチャッキングされた後、レンズ形状測定部４００が駆動され、玉型形状の動径情報に基づいてレンズ前面及び後面のレンズ形状が測定される。レンズ形状の測定は、前述のようにレンズ前面及び後面でそれぞれ動径に対する異なる位置で２回測定され、レンズ前面及び後面の傾斜角が求められる。
【００３４】
レンズ形状の測定後、表示部１０の画面はファセット加工を行う設定データの入力画面に切換わる。図９はその画面例である。画面７００の上側には、レンズ外観形状を示す玉型形状の図形７０１が表示される。７０２はレイアウト入力により設定された光学中心位置を示すマークである。画面下方には、ファセット加工の設定データを入力する欄が設けられており、画面左側の点線区画７１０の各欄にレンズ表面用の設定データを入力し、右側の区画７１１の各欄にレンズ後面用の設定データを入力する。本装置では玉型形状のコバ位置を始点と終点の２点で指定することによりファセット加工を施す領域を設定するようにしており、この２点で指定される加工領域を６個所に設定できるように、上から順に第１領域７１３〜第６領域７１８の入力欄が設けられている。
【００３５】
レンズ表面用の第１領域７１３〜第６領域７１８の入力欄において、左から第１列欄７２０はファセット加工を施す領域の始点を入力する欄であり、左から第２列欄７２１はその終点を入力する欄である。玉型形状データは１０００ポイント（全周を０．３６度毎に分割したポイント）で得られるようになっており、始点と終点をそれぞれ１０００ポイントに対するポイント数で入力する。右眼用レンズの場合、レイアウトデータ入力による光学中心を中心にして水平方向を基準にして反時計回りにポイント数が増えていく。図の例の場合、第１領域の始点は３３０ポイント目であり、終点は４３０ポイント目として入力されている。各加工領域について始点Ｓ１と終点Ｓ２の位置を入力すると、玉型形状図形７０１上には各２点を結ぶラインＬＳが表示される。
【００３６】
各領域７１３〜７１８の入力欄において、左から第３列欄７２２は最大面取幅を入力する欄である。本実施形態では図５の基準線Ｌ３の値（図６におけるｉの値）で指定するようにしており、面取砥石の幅と関係で、最大４ｍｍまで設定できるようになっているが、これは図６におけるオフセット量ｇ、面取加工幅ｅの値として計算することもできる。左から第４列目７２３はファセット加工のスタイルを設定する入力欄である。この加工スタイルは後述するスタイルＡ〜Ｄの４つのものがメモリ６０２に記憶されており、この中から所望するものを選択して入力する。
【００３７】
各欄の入力は、まず、画面上に表示されている反転カーソル７３０を入力部１１の方向スイッチ１１ｂを押すことで移動させて入力欄を選択し、各欄の値は「−／＋」スイッチ１１ｄで増減させて設定する。ファセット加工のスタイルは、同じく「−／＋」スイッチ１１ｄを押すことで順次切換えて選択する。
【００３８】
レンズ後面の加工設定を行う区画７１０の各入力欄についても、レンズ前面用と同じ順番になっているので、その説明は省略する。なお、玉型形状図形７０１においては、レンズ表面側の加工指定領域を示す２点間を結ぶラインＬＳは青色で表示され、レンズ後面側の加工指定領域が示すラインＬＳは赤色で表示され、視覚的に区別できるようになっている。
【００３９】
ファセット加工のスタイル（Ａ，Ｂ，Ｃ、Ｄ）について説明する。
【００４０】
＜スタイルＡ＞
図１０はファセット加工の形態におけるスタイルＡを説明する図である。スタイルＡの基本は、図１０（ａ）に示すように、加工後のレンズ面側がレンズコバ位置上で指定された始点Ｓ１と終点Ｓ２とを結ぶ直線ＬＳとなるように（Ｓ１とＳ２で指定される２点間が直線的に見えるように）レンズ角部を加工する形態である。斜線部がレンズ前面加工用の面取砥石３２で研削される斜面となる。ここで、図１０（ｂ）のように、始点Ｓ１と終点Ｓ２の２点間を結ぶ直線ＬＳを引いたときに、設定された最大面取幅（前述の第３列欄７２２で設定する値）を超える領域については、その最大面取幅でレンズ角部を加工する。
【００４１】
＜スタイルＢ＞
図１１はスタイルＢを説明する図である。始点Ｓ１と終点Ｓ２とを結ぶ直線をＬＳとし、加工中心Ｏを基準とした玉型形状の動径線をＲとしたとき、直線ＬＳと動径線Ｒとの交点Ｇに対する動径線Ｒのコバ位置の長さＷが最大となるときのコバ位置をＳWMAXとする。このコバ位置ＳWMAXで面取幅が最大になるように、始点Ｓ１から面取幅を徐々に大きくしていき、コバ位置ＳWMAXに達したら、今度は終点Ｓ２まで徐々に面取幅を小さくするようにレンズ角部を加工する。
【００４２】
また、始点Ｓ１からコバ位置ＳWMAXまで徐々に大きくするための各コバ位置での面取幅は、次のように求める。玉型形状の全周１０００ポイントのコバ座標位置において、始点Ｓ１からコバ位置ＳWMAXまでの玉型形状のトータルポイント数をＭとし、各ポイント間の増加幅Δｄを、
Δｄ＝最大Ｗ／Ｍ
で求める。そして、始点Ｓ１から順にＳWMAXまでこのΔｄ分だけを順次増加した幅が各コバ位置での面取幅となる。
【００４３】
同様な考えにより、コバ位置ＳWMAXから終点Ｓ２まで徐々に小さくする各コバ位置での面取幅は、コバ位置ＳWMAXから始点Ｓ２までのトータルポイント数をＭ´とし、各ポイント間の減少幅Δｄ´を、
Δｄ´＝最大Ｗ／Ｍ´
で求めた後、コバ位置ＳWMAXから終点Ｓ２までΔｄ´分だけを順次減少させた幅となる。
【００４４】
＜スタイルＣ＞
スタイルＣは、上記のスタイルＢに対して、始点Ｓ１から面取幅を徐々に大きくしていき、面取幅が最大となるコバ位置ＳWMAXに達した後は、その最大面取幅で終点Ｓ２までレンズ角部を加工する形態である（図１２参照）。
【００４５】
＜スタイルＤ＞
スタイルＤは、スタイルＣの逆で、終点Ｓ２側から面取幅を徐々に大きくしていき、面取幅が最大となるコバ位置ＳWMAXに達した後は、その最大面取幅で始点Ｓ１までレンズ角部を加工する形態である（図１３参照）。
【００４６】
なお、スタイルＣとスタイルＤは、主に、両者の組合わせ又はスタイルＡとの組合わせで用いるために設けている。
【００４７】
上記のようにして、レンズ表面側及び後面側について、始点Ｓ１と終点Ｓ２による各加工領域の指定、その最大面取幅の設定、スタイルＡ〜Ｄの加工スタイルの選択することにより、玉型形状に対するファセット加工の形状をデザインする。Ｆ１スイッチを押すと、前述のようにしてコバ角部の加工軌跡が各指定領域毎に計算される。玉型形状図形７０１上には各領域の始点と終点を結ぶ直線ラインに代わり、シュミレーションした加工ラインＰＬ（図１１等を参照）が表示される。レンズ表面側は青色、レンズ後面側は青色で区分けされ、玉型図形上で分かるようになっている。スタイルＡの基本パターン（図１０（ａ）参照）の場合は、Ｓ１とＳ２を結ぶ直線ＬＳがそのまま加工ラインとなる。
【００４８】
ここで、レンズのコバ厚が薄い場合や、レンズ表面側と後面側の加工が重なる場合には、そのまま指定した通りに面取加工面を大きくとると、レンズ径が小さくなってしまう場合がある。この場合には、玉型形状が小さくならないように、加工後に予定するコバ厚の最も薄い部分が所定距離ｔ（例えば１ｍｍ）を下回らないように、指定された加工形状を補正する。例えば、補正は次のようにする。
【００４９】
図１４において、Ｑ１はレンズ前面側のコバ角部加工の演算で求められた加工点、Ｑ２はレンズ後面側のコバ角部加工の演算で求められた加工点である。このまま加工を行うと、各加工面は実線で示すようになり、玉型形状が小径となる。そこで、加工点Ｑ１とＱ２の中心点Ｑ０を求め、その中心点Ｑ０から表面側に０．５ｍｍ離れた位置にレンズ前面側の加工点Ｑ１´を位置させ、同様に中心点Ｑ０から後面側に０．５ｍｍ離れた位置にレンズ前面側の加工点Ｑ２´を位置させるように各加工点の補正を行う。各加工面は点線で示す位置となる。なお、これはレンズ前面側又は後面側の片側のみにファセット加工を行う場合も同じであり、その場合もコバ角部に施す通常の面取加工点から所定距離（ｔ＝１ｍｍ）を確保するようにする。
【００５０】
所望するファセット加工形状を確認した後、再びスタートスイッチ１１ｉを押すと、加工が開始される。まず、粗加工が実行される。粗加工は、左右の粗砥石３０が共に被加工レンズの高さ位置に来るようにした後、レンズ研削部３００Ｒ、３００Ｌをそれぞれ被加工レンズのチャック軸側にスライドさせる。左右の粗砥石３０は回転しながら被加工レンズを２方向から徐々に研削する。このとき、粗砥石３０のレンズ側への移動量は、動径データから得られる粗加工データに基づいて左右それぞれ独立して制御する。
【００５１】
次に、制御部６００は平仕上げの加工データに基づいて、仕上げ砥石３１の平坦部の高さとレンズ方向への移動を制御して平仕上げ加工を行う。仕上げ加工が終了したらファセット加工、及びファセット加工を指定しない領域の面取り加工に移る。制御部６００はデータメモリ６０３に記憶した前述のファセット加工軌跡データ、及び他の領域の面取加工軌跡データ（例えば、ｇ＝０．２ｍｍのオフセットとして予め設定されている）に基づいて、前面用の面取り砥石３２及び後面用の面取り砥石３３を上下方向及びレンズ方向に移動制御し、レンズ角部の加工を行う。
【００５２】
仕上げ用の面取加工を行った後は、鏡面仕上げ砥石３４により平仕上げ加工の鏡面加工を行い、続いて鏡面加工用の面取り砥石３２及び後面用の面取り砥石３５、３６により角部の鏡面加工を行う。
【００５３】
なお、コバ角部の加工を行う切削具としては、上記にように面取砥石の他、エンドミル等を利用することもできる。鏡面加工については、最終的な仕上げであるので、バフ掛けで行っても良い。
【００５４】
右眼用のレンズが終了したら、入力部１１のＲ／Ｌ切換えスイッチを押して左眼用レンズの加工を行う。このとき、玉型形状データは左右がミラー反転される。同様に図９で示したファセット加工の入力値も左右がミラー反転される。これにより、左眼用レンズのファセット加工形状も右眼用レンズと同じようにするこできる。
【００５５】
【発明の効果】
以上説明したように、本発明によれば、所望する形状のファセット加工を容易に行うことができる。
【図面の簡単な説明】
【図１】眼鏡レンズ研削加工装置の加工部を示す図である。
【図２】砥石構成を説明する図である。
【図３】レンズ形状測定部を説明する図である。
【図４】装置の制御系を示す概略ブロック図である。
【図５】面取砥石とレンズとの関係を説明する図である。
【図６】面取（角部）の加工軌跡の算出を説明する図である。
【図７】仕上げ砥石が持つ加工面の傾斜角ρに対する補正角σの算出を説明する図である。
【図８】レンズ後面における仕上げ加工後のコバ位置の算出を説明する図である。
【図９】ファセット加工を行う設定データの入力画面の例を示す図である。
【図１０】ファセット加工の形態におけるスタイルＡを説明する図である。
【図１１】ファセット加工の形態におけるスタイルＢを説明する図である。
【図１２】ファセット加工の形態におけるスタイルＣを説明する図である。
【図１３】ファセット加工の形態におけるスタイルＤを説明する図である。
【図１４】コバ厚が薄くなる場合の面取加工点の補正を説明する図である。
【符号の説明】
１０  表示部
１１  入力部
３２、３３、３５、３６  面取砥石
１００  レンズチャック上部
１５０  レンズチャック下部
３００Ｒ，３００Ｌ  レンズ研削部
４００  レンズ形状測定部
６００  制御部
６０２  主プログラムメモリ
６５０  レンズ枠形状測定装置
７０１  玉型形状図形
【図１】
0003990104.tif 000005
【図２】
0003990104.tif 000006
【図３】
0003990104.tif 000007
【図４】
0003990104.tif 000008
【図５】
0003990104.tif 000009
【図６】
0003990104.tif 000010
【図７】
0003990104.tif 000011
【図８】
0003990104.tif 000012
【図９】
0003990104.tif 000013
【図１０】
0003990104.tif 000014
【図１１】
0003990104.tif 000015
【図１２】
0003990104.tif 000016
【図１３】
0003990104.tif 000017
【図１４】
0003990104.tif 000018